(57)【要約】  空調装置Ａは、在室前環境検知手段の検知結果に基づき、予冷運転又は予暖運転の開始時刻及び使用者の在室開始予定時刻での目標温度である在室開始時設定温度Tsを変化させる。
2014017316.tif 000002
【特許請求の範囲】
【請求項１】
空調対象空間を使用者の在室前に目標温度とするように予冷運転又は予暖運転を実行する空調装置であって、
使用者の在室前の環境が屋内であるか屋外であるかを検知する在室前環境検知手段と、
前記在室前環境検知手段での検知結果に基づいて前記予冷運転又は予暖運転を実施する制御装置と、を備え、
前記制御装置は、
前記在室前環境検知手段の検知結果に基づき、前記予冷運転又は予暖運転の開始時刻及び使用者の在室開始予定時刻での目標温度である在室開始時設定温度を変化させる在室開始時温度制御部を備えた構成である
空調装置。
【請求項２】
前記制御装置は、
前記在室開始時設定温度と使用者の在室開始後の目標温度とが異なる場合、
前記在室開始時設定温度を、
前記予冷運転では使用者の在室開始後の目標温度以上に設定し、
前記予暖運転では使用者の在室開始後の目標温度以下に設定する目標温度設定部を備えた構成である
請求項１に記載の空調装置。
【請求項３】
冷媒を圧縮して吐出する圧縮機を備え、
前記制御装置は、
使用者の在室開始後の目標温度に到達するまで、前記予冷運転又は前記予暖運転と同様の運転容量で前記圧縮機を駆動する圧縮機駆動部を備えた構成である
請求項１又は２に記載の空調装置。
【請求項４】
前記制御装置は、
使用者の在室前の環境が屋内である場合と屋外である場合とで前記在室開始時設定温度を異なるものとしている在室開始時温度変更部を備えた構成である
請求項１〜３のいずれか一項に記載の空調装置。
【請求項５】
前記制御装置は、
前記在室前環境検知手段の検知結果から使用者の在室前の環境が屋外であると判断した場合、
前記在室前環境検知手段により検知される在室前の外気温度と予め設定されている上限温度とを比較し、
前記外気温度が前記上限温度よりも小さいときには前記在室開始時設定温度から所定の温度幅を引いた値を新たな在室開始時設定温度に設定し、
前記外気温度が前記上限温度以上であるときには該上限温度を保証温度として新たな前記在室開始時設定温度に設定する在室開始時温度設定部を備えた構成である
請求項１〜４のいずれか一項に記載の空調装置。
【請求項６】
前記制御装置は、
前記在室前環境検知手段の検知結果から使用者の在室前の環境が屋内であると判断した場合、
前記在室前環境検知手段より検知される在室前の室内温度と予め設定されている目標設定温度とを比較し、
前記室内温度と前記目標設定温度との差の絶対値が所定の判定閾値よりも小さいときには前記在室開始設定温度を前記目標設定温度に設定し、
前記室内温度と前記目標設定温度との差の絶対値が前記判定閾値以上であるときには前記在室開始設定温度を保証温度として設定する在室開始時温度設定部を備えた構成である
請求項１〜４のいずれか一項に記載の空調装置。
【請求項７】
前記制御装置は、
前記在室前環境検知手段から外気温度変動予測情報を入手し、
前記外気温度変動予測情報の所定区間における初期温度が最終温度よりも大きく、前記初期温度と前記最終温度との差の絶対値が所定の判定閾値以上であるときは、
前記予冷運転では、予冷運転時間を短縮し、
前記予暖運転では、予暖運転時間を延長し、
前記外気温度変動予測情報の所定区間における初期温度が最終温度よりも小さく、前記初期温度と前記最終温度との差の絶対値が所定の判定閾値以上であるときは、
前記予冷運転では、予冷運転時間を延長し、
前記予暖運転では、予暖運転時間を短縮する運転時間変更部を備えた構成である
請求項４〜６のいずれか一項に記載の空調装置。
【請求項８】
前記制御装置は、
空調対象空間に存在する一又は複数の機器の使用情報を収集し、収集した情報に基づいて使用者の在室時間幅を取得する在室時間幅取得部を備えた構成である
請求項１〜７のいずれか一項に記載の空調装置。
【請求項９】
前記機器としては、
空調対象空間に存在する空調装置、照明、人感センサ、室内ドアのうちの少なくとも一つを適用している
請求項８に記載の空調装置。
【請求項１０】
前記制御装置の前記圧縮機駆動部は、
前記予冷運転又は予暖運転では、運転容量を最大運転容量の５０％を目途にした固定容量で前記圧縮機を運転するように設定されている
請求項３、請求項３に従属する請求項４〜９のいずれか一項に記載の空調装置。
【請求項１１】
使用者の在室前の環境が屋内であるか屋外であるかを検知し、その検知結果に基づいて、空調対象空間を使用者の在室前に目標温度とするように予冷運転又は予暖運転を実行する空調装置の空調制御方法であって、
使用者の在室開始予定時刻での目標温度である在室開始時設定温度と使用者の在室開始後の目標温度とが異なる場合、
前記在室開始時設定温度を、
前記予冷運転では使用者の在室開始後の目標温度以上に設定し、
前記予暖運転では使用者の在室開始後の目標温度以下に設定し、
使用者の在室前の環境が屋外であると判断したとき、検知される在室前の外気温度と予め設定されている上限温度とを比較し、前記外気温度が前記上限温度よりも小さいときには前記在室開始時設定温度から所定の温度幅を引いた値を新たな在室開始時設定温度に設定し、前記外気温度が前記上限温度以上であるときには該上限温度を保証温度として新たな前記在室開始時設定温度に設定し、
使用者の在室前の環境が屋内であると判断したとき、検知される在室前の室内温度と予め設定されている目標設定温度とを比較し、前記室内温度と前記目標設定温度との差の絶対値が所定の判定閾値よりも小さいときには前記在室開始設定温度を前記目標設定温度に設定し、前記室内温度と前記目標設定温度との差の絶対値が前記判定閾値以上であるときには前記在室開始設定温度を保証温度として設定する
空調制御方法。
【発明の詳細な説明】
【技術分野】
【０００１】
本発明は、使用者の在室前に空調対象空間を目標温度とするように予冷運転、予暖運転を実行する空調装置及び空調装置制御方法に関するものである。
【背景技術】
【０００２】
従来から、室内温度を指定された時刻に目標温度（使用者により設定された設定値）となるように予冷運転又は予暖運転を実行する空調装置が存在している。そのようなものとして、予暖運転実施前の室内温度の低下状況から室内の熱漏洩係数と温度低下係数を算出し、これらの係数をもとに指定時刻に室内温度を目標温度にするための消費電力量を演算して推定し、この消費電力量が最小となる時間に空調装置を起動する運転を行うようにした空気調和機の運転制御方法が提案されている（たとえば、特許文献１参照）。
【先行技術文献】
【特許文献】
【０００３】
【特許文献１】特開昭６３−２９１３５号公報（請求項１、第２〜４頁）
【発明の概要】
【発明が解決しようとする課題】
【０００４】
上記の特許文献１に記載されているような空調装置においては、在室開始時に目標温度到達するような運転制御を行っている。しかしながら、外気が高温（たとえば３５℃）で、設定温度が低温（たとえば２５℃）であるような冷房期などの場合に、使用者が屋外から空調対象空間に入室したとき、室内外温度差が大きく、室内の快適性は見かけ上高いが、温度差による使用者の身体への負担が増大していた。【０００５】
使用者の室内から室内への移動（例えば寝室からリビング）等の状況であっても、部屋ごとに使用者の活動量が異なるため、部屋ごとに設定温度が異なる場合が考えられる。例えば、就寝時に目標温度を高く（たとえば２８℃）設定し、起床後のリビングでは温度を低く（たとえば２６℃）するような場合がある。このとき、リビングで予冷運転を実施する際には、在室開始時の目標温度を、就寝時設定（２８℃）とすればよいのか、起床時設定（２６℃）とすればよいのか、ということが不明であった。【０００６】
省エネを優先する場合、予冷運転、予暖運転を低容量で運転することによって機器を高効率化し、積算消費電力を低減することは可能である。しかしながら、在室開始時に目標温度到達とした場合には、予冷運転、予暖運転を高容量化して低効率化、もしくは予冷運転、予暖時間が長時間化することで、宅外への放熱ロスの増加が発生してしまう。そのために、省エネ優先時には予冷運転、予暖運転を実施しない方が省エネとなる場合が発生していた。【０００７】
本発明は、上記のような課題のうちの少なくとも一つを解決するためになされたもので、身体への負担を軽減することが可能な空調装置及び空調制御方法を提供することを第１の目的としている。
また、本発明は、機器高効率化による省エネ及び使用者の快適性の両立を図るようにした空調装置及び空調制御方法を提供することを第２の目的としている。
【課題を解決するための手段】
【０００８】
本発明に係る空調装置は、空調対象空間を使用者の在室前に目標温度とするように予冷運転又は予暖運転を実行する空調装置であって、使用者の在室前の環境が屋内であるか屋外であるかを検知する在室前環境検知手段と、前記在室前環境検知手段での検知結果に基づいて前記予冷運転又は予暖運転を実施する制御装置と、を備え、前記制御装置は、前記在室前環境検知手段の検知結果に基づき、前記予冷運転又は予暖運転の開始時刻及び使用者の在室開始予定時刻での目標温度である在室開始時設定温度を変化させる在室開始時温度制御部を備えた構成である。【０００９】
本発明に係る空調制御方法は、使用者の在室前の環境が屋内であるか屋外であるかを検知し、その検知結果に基づいて、空調対象空間を使用者の在室前に目標温度とするように予冷運転又は予暖運転を実行する空調装置の空調制御方法であって、使用者の在室開始予定時刻での目標温度である在室開始時設定温度と使用者の在室開始後の目標温度とが異なる場合、前記在室開始時設定温度を、前記予冷運転では使用者の在室開始後の目標温度以上に設定し、前記予暖運転では使用者の在室開始後の目標温度以下に設定し、使用者の在室前の環境が屋外であると判断したとき、検知される在室前の外気温度と予め設定されている上限温度とを比較し、前記外気温度が前記上限温度よりも小さいときには前記在室開始時設定温度から所定の温度幅を引いた値を新たな在室開始時設定温度に設定し、前記外気温度が前記上限温度以上であるときには該上限温度を保証温度として新たな前記在室開始時設定温度に設定し、使用者の在室前の環境が屋内であると判断したとき、検知される在室前の室内温度と予め設定されている目標設定温度とを比較し、前記室内温度と前記目標設定温度との差の絶対値が所定の判定閾値よりも小さいときには前記在室開始設定温度を前記目標設定温度に設定し、前記室内温度と前記目標設定温度との差の絶対値が前記判定閾値以上であるときには前記在室開始設定温度を保証温度として設定するものである。
【発明の効果】
【００１０】
本発明に係る空調装置及び空調制御方法によれば、使用者の在室前の情報と在室予定の空調対象空間の状態を把握し、不在時の運転制御を決定するようにしているので、温度差による身体への負担軽減と、快適性確保、省機器高効率化による省エネを同時に達成することが可能となる。
【図面の簡単な説明】
【００１１】
【図１】本発明の実施の形態に係る空調装置のシステム構成を概略的に示すシステム構成図である。
【図２】本発明の実施の形態に係る空調装置の冷媒回路構成を概略的に示す冷媒回路図である。
【図３】本発明の実施の形態に係る空気装置が実行する予冷運転又は予暖運転時の制御動作の流れを示すフローチャートである。
【図４】本発明の実施の形態に係る空調装置の室内基準目標温度制御の処理の流れを示すフローチャートである。
【図５】本発明の実施の形態に係る空気装置の室内基準目標温度制御運転時の動作状態を模式的に示す模式図である。
【図６】本発明の実施の形態に係る空気装置の外気基準目標温度制御の処理の流れを示すフローチャートである。
【図７】本発明の実施の形態に係る空気装置の外気基準目標温度制御運転時の動作状態を模式的に示す模式図である。
【図８】本発明の実施の形態に係る空調装置の外気変動時間制御の処理の流れを示すフローチャートである。
【図９】予冷開始時が低温時における本発明の実施の形態に係る空調装置の予冷制御動作を示す温度線図である。
【図１０】予冷開始時が低温時における従来の空調装置の予冷制御動作を示す温度線図である。
【図１１】本発明の実施の形態に係る空調装置及び従来の空調装置の予冷開始時が低温時における予冷制御動作時の消費電力の変化を示す消費電力図である。
【図１２】予冷開始時に外気温度と在室開始後温度とほぼ同等である場合における本発明の実施の形態に係る空調装置の予冷制御動作を示す温度線図である。
【図１３】予冷開始時に外気温度と在室開始後温度とほぼ同等である場合における従来の空調装置の予冷制御動作を示す温度線図である。
【図１４】本発明の実施の形態に係る空調装置及び従来の空調装置の予冷開始時に外気温度と在室開始後温度とほぼ同等である場合における予冷制御動作時の消費電力の変化を示す消費電力図である。
【図１５】予冷開始時に外気温度が在室開始後温度よりも高い場合における本発明の実施の形態に係る空調装置の予冷制御動作を示す温度線図である。
【図１６】予冷開始時に外気温度が在室開始後温度よりも高い場合における従来の空調装置の予冷制御動作を示す温度線図である。
【図１７】本発明の実施の形態に係る空調装置及び従来の空調装置の予冷開始時に外気温度が在室開始後温度よりも高い場合における予冷制御動作時の消費電力の変化を示す消費電力図である。
【図１８】予暖開始時が低温時における本発明の実施の形態に係る空調装置の予暖制御動作を示す温度線図である。
【図１９】予暖開始時が低温時における従来の空調装置の予暖制御動作を示す温度線図である。
【図２０】本発明の実施の形態に係る空調装置及び従来の空調装置の予暖開始時が低温時における予暖制御動作時の消費電力の変化を示す消費電力図である。
【図２１】予暖開始時に外気温度と在室開始後温度とほぼ同等である場合における本発明の実施の形態に係る空調装置の予暖制御動作を示す温度線図である。
【図２２】予暖開始時に外気温度と在室開始後温度とほぼ同等である場合における従来の空調装置の予暖制御動作を示す温度線図である。
【図２３】本発明の実施の形態に係る空調装置及び従来の空調装置の予暖開始時に外気温度と在室開始後温度とほぼ同等である場合における予暖制御動作時の消費電力の変化を示す消費電力図である。
【図２４】予暖開始時に外気温度が在室開始後温度よりも高い場合における本発明の実施の形態に係る空調装置の予暖制御動作を示す温度線図である。
【図２５】予暖開始時に外気温度が在室開始後温度よりも高い場合における従来の空調装置の予暖制御動作を示す温度線図である。
【図２６】本発明の実施の形態に係る空調装置及び従来の空調装置の予暖開始時に外気温度が在室開始後温度よりも高い場合における予暖制御動作時の消費電力の変化を示す消費電力図である。
【図２７】本発明の実施の形態に係る空調装置の制御基板の制御ブロック図である。
【発明を実施するための形態】
【００１２】
以下、図面に基づいて本発明の実施の形態について説明する。なお、図１を含め、以下の図面では各構成部材の大きさの関係が実際のものとは異なる場合がある。また、図１を含め、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１３】
《システム構成》
図１は、本発明の実施の形態に係る空調装置Ａのシステム構成を概略的に示すシステム構成図である。図１に基づいて、空調装置Ａのシステム構成、具体的には空調装置Ａを構成している各機器の配置について説明する。
【００１４】
空調装置Ａは、熱源機（室外機）１０及び室内機２０を有し、室内機２０より吹き出される冷風、温風により空調対象空間ａの冷暖房を行うものである。室内機２０は、空調対象空間ａに空調空気を供給できるような場所（たとえば、空調対象空間ａの壁面や天井裏等）に設置されている。また、空調装置Ａは、蒸気圧縮式冷凍サイクルを搭載しており、熱源機１０と室内機２０との間は、冷媒が流れる配管１００、並びに、通信を行う通信線１０１で接続されている。また、空調装置Ａは、図１に示すように、使用者（居住者、在室者などを含む）からの指示を受け付けるリモートコントローラー等のコントローラ３０を有している。室内機２０とコントローラ３０との間は、有線又は無線で接続されている。
【００１５】
なお、図１では、無線でコントローラ３０と室内機２０とが連絡する状態を例に示している。また、図１では、熱源機１０と室内機２０との接続台数は各１台であるが、接続台数を特に限定するものではなく、室外機能力、必要空調能力に応じて接続台数を個別に変化可能にしておくとよい。図１では、室内機２０とコントローラ３０との接続台数も各１台であるが、接続台数を特に限定するものではなく、室内機台数に応じて接続台数を個別に変化可能にしておくとよい。
【００１６】
空調装置Ａは、外部情報取得手段４０を有している。外部情報取得手段４０は、外部の情報（例えば、天気予報、気温変動等）を取得するものである。外部情報取得手段４０としては、例えば温度センサ等が適用できる。外部情報取得手段４０は、図１に示すように熱源機１０から離れた位置に設置してもよく、熱源機１０に設置してもよい。外部情報取得手段４０を熱源機１０から離れた位置に設置する場合、外部情報取得手段４０で計測された外部の情報は、インターネット等を介して室内機２０に設けられている受信部４１で受信しておくとよい。外部情報取得手段４０を熱源機１０に設置する場合、外部情報取得手段４０で計測された外部の情報は、通信線１０１を介して室内機２０に伝達可能にしておくとよい。
【００１７】
なお、受信部４１で受信した外部の情報、あるいは、通信線１０１を介して伝達された外部の情報は、コントローラ３０に送信可能にしておくとよい。また、外部情報取得手段４０の配置位置を図１に示す位置に限定するものではなく、外部情報取得手段４０を空調対象空間ａの内外どちらに配置してもよい。この外部情報取得手段４０が、本発明の「在室前環境検知手段」の１つである。
【００１８】
空調装置Ａは、在室情報取得手段５０を有している。在室情報取得手段５０は、図１に示すように空調対象空間ａに設置され、在室情報を取得するものである。在室情報取得手段５０が取得する在室情報は、例えば、使用者が予め設定した在室情報（例えば、使用者が在室を始める時刻、使用者が在室を続ける時間幅、使用者が不在となる時刻等）、空調対象空間ａに存在する機器（例えば、空調装置や照明などの機器）の使用情報、赤外線等を利用した人感センサなどによる人検知情報、室内ドアの開閉情報などのうちの少なくとも一つである。在室情報取得手段５０が取得した在室情報は、空調装置Ａに送られ、使用者の生活パターンとして設定される。
【００１９】
例えば、所定期間の平均的な空調装置Ａの使用時間又は前日の空調装置Ａの使用時間がＡＭ８：００〜ＰＭ１０：００までの場合、この情報が在室情報取得手段５０により取得され、空調装置Ａは使用者の生活パターンの一つである在室時間を１４時間に設定するとよい。この在室情報取得手段５０が、本発明の「在室前環境検知手段」の１つである。
【００２０】
なお、外部情報取得手段４０及び在室情報取得手段５０は、有線又は無線通信を介して情報取得、送信できるものであればよく、一つの機器（例えば、ノートパソコン、インターネット通信機能付き携帯電話等）で構成してもよく、もしくはコントローラ３０に同等の機能を併せ持たせてもよい。また、外部情報取得手段４０及び在室情報取得手段５０を構成する機器の個数を特に限定するものではない。
【００２１】
空調装置Ａは、負荷検知手段２を有している。負荷検知手段２は、図１に示すように空調対象空間ａに設置され、空調対象空間ａの情報を取得するものである。負荷検知手段２としては、例えば温度センサや赤外線温度センサ等が適用できる。この負荷検知手段２が、本発明の「在室前環境検知手段」の１つである。
【００２２】
なお、負荷検知手段２を配置する代わりに、外部情報取得手段４０から伝達される情報を利用してもよい。例えば、インターネットを介して外部の天気情報予報システムから一日の温度、日射量、外気の風向、風速の予想変動情報等を取得した外部情報取得手段４０からの外部情報を、受信部４１を通じてコントローラ３０が取得し、予め入力できる住宅躯体の断熱性能を用いて、予冷運転、予暖運転時の室温状態を推算するようにしてもよい。よって、負荷検知手段２の設置位置を図１に示す位置に限定する必要はない。
【００２３】
《冷媒回路構成》
図２は、空調装置Ａの冷媒回路構成を概略的に示す冷媒回路図である。図２に基づいて、空調装置Ａの冷媒回路構成について説明する。図１に示したように、空調装置Ａは、熱源機１０と室内機２０とを配管１００で接続した構成となっている。
【００２４】
熱源機１０内には、冷媒を圧縮する圧縮機１３、冷媒を凝縮させる凝縮器もしくは冷媒を蒸発させる蒸発器となる熱交換器（熱源側熱交換器）１１、熱交換器１１に向けて空気を送出する送風手段１２、凝縮された冷媒を減圧する絞り手段１４、熱交換器１１，２１に流れる冷媒の流れを反転する四方弁１５が搭載されている。
室内機２０内には、冷媒を凝縮させる凝縮器もしくは冷媒を蒸発させる蒸発器となる熱交換器（負荷側熱交換器）２１、熱交換器２１に向けて空気を送出する送風手段２２が搭載されている。
【００２５】
そして、圧縮機１３、四方弁１５、熱交換器１１、絞り手段１４、および熱交換器２１が配管１００によって接続されて冷媒回路が構成されている。具体的には、圧縮機１３、四方弁１５、熱交換器１１、絞り手段１４、および熱交換器２１の順に冷媒を経由させて圧縮機１３に戻す冷媒回路、もしくは圧縮機１３、四方弁１５、該熱交換器２１、該絞り手段１４、および該熱交換器１１の順に冷媒を経由させて圧縮機１３に戻す冷媒回路によって冷凍サイクル１０００を構成している。
【００２６】
（圧縮機１３）
圧縮機１３は、インバータにより制御されるモータ（図示せず）によって駆動され、運転容量を可変することが可能な容積式圧縮機で構成するとよい。なお、図２では、圧縮機１３の台数が１台の場合を例に示しているが、圧縮機１３の台数を特に限定するものではなく、２台以上の圧縮機１３を並列もしくは直列に接続して熱源機１０に搭載してもよい。
【００２７】
（熱交換器１１）
熱交換器１１は、冷凍サイクル１０００を循環する冷媒と室外空気との間で熱交換を行うものである。上述したように、熱交換器１１には、送風手段１２によって室外空気が供給されるようになっている。熱交換器１１は、例えば伝熱管と多数のフィンとにより構成されたクロスフィン式のフィン・アンド・チューブ型熱交換器で構成することができる。また、熱交換器１１は、マイクロチャネル熱交換器、シェルアンドチューブ式熱交換器、ヒートパイプ式熱交換器、あるいは、二重管式熱交換器で構成してもよい。
【００２８】
（熱交換器２１）
熱交換器２１は、冷凍サイクル１０００を循環する冷媒と室内空気との間で熱交換を行うものである。上述したように、熱交換器２１には、送風手段２２によって室内空気が供給されるようになっている。熱交換器２１は、熱交換器１１と同様に、例えばフィン・アンド・チューブ型熱交換器、マイクロチャネル熱交換器、シェルアンドチューブ式熱交換器、ヒートパイプ式熱交換器、あるいは、二重管式熱交換器等で構成するとよい。
【００２９】
（送風手段１２）
送風手段１２は、熱交換器１１に供給する空気の流量を可変することが可能なファンであり、ＤＣファンモータなどのモータによって駆動される遠心ファンや多翼ファン等で構成するとよい。
【００３０】
（送風手段２２）
送風手段２２は、熱交換器２１に供給する空気の流量を可変することが可能なファンであり、ＤＣファンモータなどのモータによって駆動される遠心ファンや多翼ファン等で構成するとよい。
【００３１】
（絞り手段１４）
絞り手段１４は、冷媒回路内を流れる冷媒の流量の調節等が可能なもので構成するとよく、例えばステッピングモータ（図示せず）により絞りの開度を調整することが可能な電子膨張弁、受圧部にダイアフラムを採用した機械式膨張弁、またはキャピラリーチューブ等で構成するとよい。
【００３２】
（四方弁１５）
四方弁１５は、熱交換器１１，２１を流れる冷媒の方向を切替えるためのものである。空調対象空間ａを冷房する際には、四方弁１５は、圧縮機１３、四方弁１５、熱交換器１１、絞り手段１４、および熱交換器２１の順に冷媒が流れるように切り替えられる。
一方、空調対象空間ａを暖房する際には、圧縮機１３、四方弁１５、熱交換器２１、絞り手段１４、および該熱交換器１１の順に冷媒が流れるように切り替えられる。
【００３３】
（冷媒）
空調装置Ａに用いられる冷媒としては、非共沸混合冷媒や擬似共沸混合冷媒、単一冷媒等がある。非共沸混合冷媒には、ＨＦＣ（ハイドロフルオロカーボン）冷媒であるＲ４０７Ｃ（Ｒ３２／Ｒ１２５／Ｒ１３４ａ）等がある。擬似共沸混合冷媒には、ＨＦＣ冷媒であるＲ４１０Ａ（Ｒ３２／Ｒ１２５）やＲ４０４Ａ（Ｒ１２５／Ｒ１４３ａ／Ｒ１３４ａ）等がある。また、単一冷媒には、ＨＣＦＣ（ハイドロクロロフルオロカーボン）冷媒であるＲ２２やＨＦＣ冷媒であるＲ１３４ａ等がある。また、二酸化炭素や炭化水素、ヘリウム等の自然冷媒を使用してもよい。
【００３４】
（各種センサ）
空調装置Ａは、各種センサ（吐出温度センサ１ａ、吸入温度センサ１ｂ、温度センサ１ｃ〜１ｈ）を有している。各種センサで検出された情報は、例えば熱源機１０に設置されている制御基板１６に送られ、空調装置Ａの制御に利用されることになる。これらの各種センサも、本発明の「在室前環境検知手段」の１つである。
【００３５】
吐出温度センサ１ａは、圧縮機１３の吐出側に設けられ、圧縮機１３から吐出された冷媒の温度を検出するものである。
吸入温度センサ１ｂは、圧縮機１３の吸入側に設けられ、圧縮機１３に吸入される冷媒の温度を検出するものである。
温度センサ１ｃは、熱交換器１１の冷媒出入口の一方に設けられ、熱交換器１１に流入する冷媒の温度又は熱交換器１１から流出した冷媒の温度を検出するものである。
温度センサ１ｄは、熱交換器１１の冷媒出入口の他方に設けられ、熱交換器１１に流入する冷媒の温度又は熱交換器１１から流出した冷媒の温度を検出するものである。
【００３６】
温度センサ１ｅは、熱交換器２１の冷媒出入口の一方に設けられ、熱交換器２１に流入する冷媒の温度又は熱交換器２１から流出した冷媒の温度を検出するものである。
温度センサ１ｆは、熱交換器２１の冷媒出入口の他方に設けられ、熱交換器２１に流入する冷媒の温度又は熱交換器２１から流出した冷媒の温度を検出するものである。
温度センサ１ｇは、熱交換器１１の空気吸込み側に設けられ、熱交換器１１に吸い込まれる空気の温度の検出するものである。
温度センサ１ｈは、熱交換器２１の空気吸込み側に設けられ、熱交換器２１に吸い込まれる空気の温度を検出するものである。
【００３７】
（制御基板１６、制御基板２３）
空調装置Ａは、制御基板１６及び制御基板２３を備えている。制御基板１６及び制御基板２３は、空調装置Ａのシステム全体を統括制御する機能を有している。具体的には、制御基板１６及び制御基板２３は、各種センサからの情報と、使用者の設定情報に基づき、予め搭載されている制御プログラムに基づいて、空調装置Ａの運転を指令する。制御基板１６及び制御基板２３は、空調装置Ａの全体を統括制御できるようなマイクロコンピュータ等で構成し、四方弁１５の切り替え制御、絞り手段１４の開度制御の他、圧縮機１３の駆動周波数制御や送風手段２２の回転数制御、送風手段１２の回転数制御等を制御することで、空調装置Ａの運転を指令するようになっている。
【００３８】
制御基板１６及び制御基板２３は、無線又は有線で通信可能に接続され、互いに情報伝達が可能となっている。制御基板１６及び制御基板２３の機能の割り振りについては、各々のユニット（熱源機１０、室内機２０）が独立して制御を行なうようにしてもよく、いずれかの制御基板が通信等を用いて他の制御基板に制御指令を与えるようにしてもよい。ここでは、制御基板１６が熱源機１０に搭載されている要素機器の制御を行い、制御基板２３が室内機２０に搭載されている要素機器の制御を行う場合を例に説明する。
【００３９】
制御基板１６と制御基板２３とを分けずに１つの制御装置として備えるようにしてもよい。制御基板１６及び制御基板２３は、コントローラ３０と接続されており、コントローラ３０からの情報が伝達されるようになっている。すなわち、制御基板１６及び制御基板２３が、本発明の「制御装置」に相当する。
【００４０】
図２７は、制御基板１６及び制御基板２３の制御ブロック図である。図２７に基づいて、制御基板１６及び制御基板２３について説明する。
制御基板１６及び制御基板２３は、在室開始時間より所定の時間前から冷房運転（予冷運転）又は暖房運転（予暖運転）を開始し、制御目標温度を室温基準で判定する「室温基準目標温度制御」にするか、外気基準で判定する「外気基準目標温度制御」にするかの判定を在室前環境検知手段の検知結果から実施し、使用者の在室開始予定時刻での目標温度である在室開始時設定時間を変更するように制御する在室開始時温度制御部５１を備えている。
【００４１】
また、制御基板１６及び制御基板２３は、在室開始時設定温度と使用者の在室開始後の目標温度とが異なる場合、在室開始時設定温度を、予冷運転では使用者の在室開始後の目標温度以上に設定し、予暖運転では使用者の在室開始後の目標温度以下に設定する目標温度設定部５２を備えている。
また、制御基板１６及び制御基板２３は、使用者の在室開始後の目標温度に到達するまで、予冷運転又は予暖運転と同様の運転容量で圧縮機１３を駆動する圧縮機駆動部５３を備えている。
圧縮機駆動部５３は、予冷運転又は予暖運転では、運転容量を最大運転容量の５０％を目途にした固定容量で圧縮機１３を運転するように設定されてもいる。
【００４２】
また、制御基板１６及び制御基板２３は、使用者の在室前の環境が屋内である場合と屋外である場合とで在室開始時設定温度を異なるものとしている在室開始時温度変更部５４を備えている。
【００４３】
また、制御基板１６及び制御基板２３は、在室前環境検知手段の検知結果から使用者の在室前の環境が屋外であると判断した場合、在室前環境検知手段により検知される在室前の外気温度と予め設定されている上限温度とを比較し、外気温度が上限温度よりも小さいときには在室開始時設定温度から所定の温度幅を引いた値を新たな在室開始時設定温度に設定し、外気温度が上限温度以上であるときには該上限温度を保証温度として新たな在室開始時設定温度に設定する在室開始時温度設定部５５を備えている。
【００４４】
在室開始時温度設定部５５は、上記の他、在室前環境検知手段の検知結果から使用者の在室前の環境が屋内であると判断した場合、在室前環境検知手段より検知される在室前の室内温度と予め設定されている目標設定温度とを比較し、室内温度と目標設定温度との差の絶対値が所定の判定閾値よりも小さいときには在室開始設定温度を目標設定温度に設定し、室内温度と目標設定温度との差の絶対値が判定閾値以上であるときには在室開始設定温度を保証温度として設定することもある。
【００４５】
また、制御基板１６及び制御基板２３は、在室前環境検知手段から外気温度変動予測情報を入手し、外気温度変動予測情報の所定区間における初期温度が最終温度よりも大きく、初期温度と最終温度との差の絶対値が所定の判定閾値以上であるときは、予冷運転では、予冷運転時間を短縮し、予暖運転では、予暖運転時間を延長し、外気温度変動予測情報の所定区間における初期温度が最終温度よりも小さく、初期温度と最終温度との差の絶対値が所定の判定閾値以上であるときは、予冷運転では、予冷運転時間を延長し、予暖運転では、予暖運転時間を短縮する運転時間変更部５６を備えている。
【００４６】
また、制御基板１６及び制御基板２３は、空調対象空間に存在する一又は複数の機器（例えば、空調装置、照明、人感センサ、室内ドア）の使用情報を収集し、収集した情報に基づいて使用者の在室時間幅を取得する在室時間幅取得部５７を備えている。
【００４７】
制御基板１６は、各種センサから送られてくる情報に基づいて、圧縮機１３の運転周波数を制御したり、送風手段１２の回転数を制御したり、四方弁１５を切り替えたり、絞り手段１４の開度を調整したりする機能を有している。
【００４８】
制御基板２３は、送風手段２２の回転数を制御する機能を有している。また、制御基板２３は、受信部４１で受信された各種情報（外部情報取得手段４０が取得した外部情報、負荷検知手段２が検出した情報、在室情報取得手段５０が取得した在室情報、コントローラ３０で受け付けた使用者からの指示情報）を、制御基板１６に伝達する機能も有している。また、制御基板２３は、制御基板１６から送られてきたり、自身で判断したりした使用者に提供する情報をコントローラ３０に伝達する機能も有している。
【００４９】
《冷凍サイクル１０００の冷房動作》
図２を用いて冷凍サイクル１０００の冷房動作について説明する。
圧縮機１３から吐出された冷媒は、四方弁１５を通過して熱交換器１１へと流れる。熱交換器１１はこのとき凝縮器として作用し、冷媒は空気と熱交換する際に凝縮液化し、絞り手段１４へと流れる。この冷媒は、絞り手段１４で減圧された後、熱交換器２１に流入する。熱交換器２１は蒸発器として機能しているので、冷媒は空気と熱交換して蒸発する。このとき、空調対象空間ａが冷房されることになる。熱交換器２１で蒸発した冷媒は、熱交換器２１から流出した後、四方弁１５を通過して再び圧縮機１３に吸入される。
【００５０】
《冷凍サイクル１０００の暖房動作》
図２を用いて冷凍サイクル１０００の暖房動作について説明する。
圧縮機１３から吐出された冷媒は、四方弁１５を通過して熱交換器２１へと流れる。熱交換器２１はこのとき凝縮器として作用しているので、冷媒は空気と熱交換する際に凝縮液化する。このとき、空調対象空間ａが暖房されることになる。熱交換器２１で凝縮された冷媒は、熱交換器２１から流出した後、絞り手段１４へと流れる。この冷媒は、絞り手段１４で減圧された後、熱交換器１１へと流れる。熱交換器１１はこのとき蒸発器として作用し、冷媒は空気と熱交換して蒸発した後、四方弁１５を通過して再び圧縮機１３に吸入される。
【００５１】
《空調装置Ａの制御動作の概要》
次に、空調装置Ａの制御動作の概要を説明する。空調装置Ａは、冷房運転又は暖房運転などの通常運転を実行する際の制御動作の他、予冷運転又は予暖運転する際の制御動作を行う。
【００５２】
（通常運転制御動作）
空調装置Ａの通常運転時の制御動作について説明する。空調装置Ａは、空調装置Ａを使用する使用者の運転開始指令により運転を開始する。使用者は、たとえばコントローラ３０等を操作して空調装置Ａに運転開始指令を与える。運転開始指令には冷房運転、暖房運転などの運転モードも含まれており、空調装置Ａでは運転開始指令と同時に運転モードも設定される。具体的には、制御基板１６及び制御基板２３が、空調装置Ａを構成している駆動部品を制御して、空調装置Ａの運転を実行している。
【００５３】
そして、空調装置Ａは、室内温度として空調対象空間ａの代表温度を検知する温度センサ１ｈの計測値が、使用者により設定された設定値となるように運転を実行する。その際、室内温度が設定値の近傍で安定するように運転が実行される。具体的には、空調装置Ａは、室内温度と設定値との温度偏差が大きい場合、圧縮機１３の容量を大きくし、空調装置Ａの加熱能力又は冷却能力が大きくなるようにして、設定値への収束を早めるように運転する。また、空調装置Ａは、室内温度と設定値との温度偏差が小さい場合、圧縮機１３の容量を小さくし、空調装置Ａの加熱能力又は冷却能力が小さくなるようにして、空調対象空間ａが過剰に加熱又は冷却されることを回避するように運転する。このようにして、空調装置Ａは、室内温度の安定を図るように運転する。
【００５４】
圧縮機１３の運転容量は、例えば温度差に比例して増加するように設定するとよい。この場合、圧縮機１３の最大容量を１００％とすると、例えば、温度差が０℃で運転容量１０％、温度差が１℃で運転容量４０％、温度差が２℃で運転容量７０％、温度差が３℃以上で運転容量１００％となるように圧縮機１３を制御するとよい。
【００５５】
（予冷運転、予暖運転時の制御動作》
次に、空調装置Ａの予冷運転又は予暖運転時の制御動作について説明する。
空調装置Ａが実行する予冷運転又は予暖運転とは、使用者に指定された時刻に、室内温度をある設定値（以下、在室開始時設定温度Tsと称する）となるように冷房運転又は暖房運転を実行することである。なお、ここでは予冷運転を例とした制御動作について説明する。
【００５６】
予冷運転を設定する場合、空調装置Ａを使用する使用者は、空調対象空間ａの在室開始時刻を含めた在室情報を予め設定する。在室情報としては、使用者が在室を始める時刻、使用者が在室を続ける時間幅、使用者が不在となる時刻等が該当する。在室情報については、使用者が在室情報として時刻・時間情報を予め設定する場合には、使用者により設定された在室情報を基本とする。ただし、空調装置Ａの実際の使用では、在室情報は日々異なることが想定されるため、空調対象空間ａに存在する機器（たとえば、コントローラ３０等）の過去の情報を用いて、幅をもった時間帯として在室情報を推定し、設定してもよい。
【００５７】
空調対象空間ａに存在する機器の過去の情報を用いて在室情報を設定する場合、空調装置Ａでは、その日の決められた時間帯（例えば朝、昼、夕方、夜間などの時間帯）の中でコントローラ３０などにより使用者が機器の操作を初めて行なった時間を記憶し、その情報を日々収集し、収集した結果を基に在室開始時間帯を推定し、設定するとよい。つまり、空調装置Ａでは、収集した各情報の中でもっとも操作開始の早い時刻と、もっとも遅い時刻とを記憶し、各時刻の間の時間帯を在室開始時間帯と設定することができる。
【００５８】
なお、在室開始情報が多数得られる場合は、統計処理し、平均値から標準偏差分離れた時刻を用いて在室開始時間帯を決定してもよい。また、上記のようにコントローラ３０の操作履歴の収集を在室検知手段とする代わりに、空調装置Ａやその他の機器に設けられた赤外線等を利用した人感センサなどによる人検知情報や、空調対象空間ａに張り付けられている室内ドアの開閉情報、空調対象空間ａに取り付けされている照明器具の使用情報などを収集して、在室情報として使用してもよい。
【００５９】
また、在室情報は空調対象空間ａ以外でも取得しており、互いにコントローラ３０等で在室情報を共有できるようにしておくとよい。例えば、他の部屋での在室状況や、住宅に不在であるという情報を各部屋の空調装置の制御機器（たとえばコントローラ３０等）が取得し、その情報を共有可能とする。また、在室情報は、センサによる情報取得以外にも、使用者が予め在室時間、外出時間を入力設定してもよい。
【００６０】
空調装置Ａは、在室開始時設定温度Tsの到達が実現できるように予冷運転を開始する。室内温度の低下に要する時間は、空調装置Ａの運転開始時の室内温度と在室開始時設定温度Tsとの温度差に比例するので、予め温度低下１℃あたりに要する運転時間（以下単に運転時間Ｔと称する）を空調装置Ａの運転特性より定めておく。そして、空調装置Ａでは、空調装置Ａの運転開始時の室内温度と室内温度設定値との温度差に、運転時間Ｔを掛け合わせ、この時間分だけ在室開始時時間帯の最も早い時刻より早めた時刻を空調装置Ａの運転開始時刻とする。この運転開始時刻より空調装置Ａは予冷運転を開始する。
【００６１】
次に、予冷運転開始後の空調装置Ａの圧縮機１３の運転容量であるが、基本的には固定容量で運転する。このときの圧縮機１３の固定容量は、運転時間Ｔを規定する際に用いた空調装置Ａの運転容量とする。このような運転容量で圧縮機１３を運転し、在室開始時時間帯の最も早い時刻近傍で、在室開始時設定温度Tsが実現されるようにする。このときの圧縮機１３の運転容量は、空調装置Ａの運転効率が高くなるように設定するものとする。
【００６２】
なお、空調装置Ａの運転効率は、圧縮機１３の運転容量が低いほど一般的に高くなるが、低すぎると却って運転効率が悪化する場合や、空調能力が低下し、予冷運転時間が長時間化し過ぎる場合がある。そのため、予冷運転開始後の圧縮機１３の運転容量は、圧縮機１３の最大運転容量の５０％程度を目途に設定するとよい。
【００６３】
そして、空調装置Ａは、予冷運転実施時に、室内温度が低下し、在室開始時設定温度Tsが実現された後から在室開始までは、運転方法を変更し、通常運転時の制御動作と同様に室内温度が在室開始時設定温度Tsを維持するように、圧縮機１３の運転容量を制御する。
【００６４】
使用者の在室開始後は、目標温度Ｔｍが在室開始時設定温度Tsよりも低温である場合には予冷運転同様に、空調装置Ａの運転効率が高くなるように圧縮機１３の運転容量を制御する。一方、目標温度Ｔｍと在室開始時設定温度Tsが同温度である場合には、通常運転時の制御動作と同様に室内温度が目標温度Ｔｍを維持するように、圧縮機１３の運転容量を制御する。また、使用者の在室開始後に、使用者からコントローラ３０等で目標温度Ｔｍの変更操作があった場合には、通常制御と同様に室内温度がＴｍとなるように圧縮機１３の制御を行う。
【００６５】
図３のフローチャートに基づいて、空調装置Ａが実行する予冷運転又は予暖運転時のメインとなる制御動作の流れについて説明する。図３は、空調装置Ａが実行する予冷運転又は予暖運転時の制御動作の流れを示すフローチャートである。なお、制御の主体は、制御基板１６及び制御基板２３であるが、説明の便宜上、省略する場合がある。
【００６６】
空調装置Ａのコントローラ３０が在室情報取得手段５０を通じて空調対象空間ａの生活パターン情報、外気情報を入手する（ステップST1m）。生活パターン情報とは、使用者が在室を始める時刻、使用者が在室を続ける時間幅、または不在となる時刻等が該当する。これらの時刻・時間幅などによる在室情報は、過去の統計値、もしくは入力値により設定される。外気情報は、温度変動履歴、現在温度であり室外機の温度センサ１ｈもしくは外部情報取得手段４０からインターネットを介して外部の天気情報予報システムから一日の温度、日射量、外気の風向、風速の予想変動情報を外部情報取得手段４０から受信部４１を通じてコントローラ３０が取得したものとする。
【００６７】
次に、各部屋の在室情報もしくは予め入力していた在室予定時刻の関係から予冷運転又は予暖運転の制御目標温度を室温基準で判定する「室温基準目標温度制御CONTROL_in」にするか、外気基準で判定する「外気基準目標温度制御CONTROL_out」にするかの判定を行う（ステップST2m）。なお、「室温基準目標温度制御CONTROL_in」については図４、図５に基づいて後段で詳細に説明する。「外気基準目標温度制御CONTROL_out」については図６、図７に基づいて後段で詳細に説明する。
【００６８】
在室予定者が在室前までに室内にいる場合にはステップST3mに進み、「室温基準目標温度制御CONTROL_in」を行う。
一方、在室予定者が在室前までに室外にいる場合はステップST4mに進み、「外気基準目標温度制御CONTROL_out」を行う。
そして、ステップST3mの「室温基準目標温度制御CONTROL_in」を実行、又は、ステップST4mの「外気基準目標温度制御CONTROL_out」を実行した後、ステップST5mに移行する。
【００６９】
ステップST5mでは、「室温基準目標温度制御CONTROL_in」又は「外気基準目標温度制御CONTROL_out」を行った後には外気変動による予冷開始時間を補正する「外気変動時間制御CONTROL_TIME」を行う。ここでは、外気温度の時間変動に応じて予冷時間TIME_dを決定する。なお、「外気変動時間制御CONTROL_TIME」については図８に基づいて後段で詳細に説明する。
【００７０】
ステップST6mでは、ステップST5mで決定した予冷時間TIME_dと現在時刻TIME_now、在室開始時刻TIME_inの関係から、予冷運転を開始するかどうかの判定を行う。在室開始時刻TIME_inと現在時刻TIME_nowの差が予冷時間TIME_d以下の場合にはステップSTm7に進み、予冷運転開始する。
一方、在室開始時刻TIME_inと現在時刻TIME_nowの差が予冷時間TIME_d以上の場合にはステップST1mにて再度生活パターン、外気情報を入手する。
【００７１】
ステップST7mでは、予冷運転を実施する。予冷運転は、低容量で圧縮機１３を運転させることによって機器効率を向上させ、予冷時間TIME_dの経過後に運転終了となり、ステップST8mの在室開始後運転判定を行う。
【００７２】
ステップST8mでは、予冷運転が終了し、在室開始後に予冷運転と同様の空調制御を行う予冷・予暖延長運転ST9mを行うか、通常制御運転ST10mを行うかどうかの判定を行う。現在室温Tnowが空調目標温度Tmより高い場合にはステップST9mに進み、予冷・予暖延長運転を行い、現在室温Tnowが空調目標温度Tmより低い場合にはステップST10mに進み、通常制御運転を行う。
【００７３】
（室温基準目標温度制御）
図４に基づいて室温基準目標温度制御CONTROL_inについて説明する。図４は、空調装置Ａの室内基準目標温度制御の処理の流れを示すフローチャートである。ここでは、予冷運転時の在室開始時設定温度Tsの設定方法について説明する。なお、制御の主体は、制御基板１６及び制御基板２３であるが、説明の便宜上、省略する場合がある。
【００７４】
コントローラ３０が負荷検知手段２もしくは温度センサ１ｈから室内温度情報Tinを入手する（ステップST1i）。
【００７５】
そして、入手した室内温度情報Tinを用いて目標温度判定を行う（ステップST2i）。ステップST2iでは、ステップST1iで入手した室内温度情報の室内温度情報Tinと目標設定温度Tm1の関係から在室開始時設定温度Tsを決定する。具体的には、ステップST2iでは、室内温度情報Tinと目標設定温度Tm1との差と判定閾値deltaT1とを比較する。
【００７６】
室内温度情報Tinと目標設定温度Tm1との差の絶対値が判定閾値deltaT1よりも小さな場合は（ステップST2i；YES）、在室開始時設定温度Tsを目標設定温度Tm1とする（ステップST3i）。一方、室内温度情報Tinと目標設定温度Tm1との差の絶対値が判定閾値deltaT1以上である場合は（ステップST2i；NO）、在室開始時設定温度Tsを保証温度Tlimit1とする（ステップST4i）。
【００７７】
ここで、図５に基づいて目標設定温度Tm1について説明する。図５は、空調装置Ａの室内基準目標温度制御運転時の動作状態を模式的に示す模式図である。図５では、使用者の在室開始後の空調対象空間ａを空調対象空間ａａとし、在室開始前に使用者が在室していた空調対象空間ａを空調対象空間ａｂとして図示している。図５（ａ）では予冷開始前の空調装置Ａの動作状態を、図５（ｂ）では予冷中の空調装置Ａの動作状態を、図５（ｃ）では使用者が在室開始した後の空調装置Ａの動作状態を、それぞれ示している。また、図５（ａ）では使用者が空調対象空間ａｂに在室し、図５（ｂ）では使用者が空調対象空間ａｂに在室し、図５（ｃ）では使用者が空調対象空間ａａに在室している状態を図示している。
【００７８】
なお、空調対象空間ａａには室内機２０ａ、負荷検知手段２ａ、コントローラ３０ａが配置され、空調対象空間ａｂには室内機２０ｂ、負荷検知手段２ｂ、コントローラ３０ｂが配置されている。室内機２０ａ，２０ｂは、室内機２０と同じである。負荷検知手段２ａ，２ｂは、負荷検知手段２と同じである。コントローラ３０ａ，３０ｂは、コントローラ３０と同じである。
【００７９】
使用者は、在室開始時刻TIME_inに空調対象空間ａａに在室開始するものとする。目標設定温度Tm1は、使用者が在室開始する前に居住していた空調対象空間ａｂの温度であり、負荷検知手段２ｂもしくは室内機２０ｂの吸込み空気温度となる。検知した目標設定温度Tm1は、コントローラ３０ｂもしくは他の通信機器を通じてコントローラ３０ａと情報共有される。通信形態は、無線・有線を問わず、また、事前にコントローラ３０ａに入力する方式でも問題なく、本実施の形態に限定するものではない。
【００８０】
図５（ａ）に示す予冷開始前の状態では、空調対象空間ａａの室内機２０ａを運転停止させており、空調対象空間ａｂの室内機２０ｂを目標設定温度Ｔｍ１で運転させている。
図５（ｂ）に示す予冷中の状態では、空調対象空間ａａの室内機２０ａを在室時設定温度を目標設定温度Tm1もしくは保証温度Tlimit1として運転させ、空調対象空間ａｂの室内機２０ｂを目標設定温度Tm1で運転させている。
図５（ｃ）に示す空調対象空間ａａに使用者が在室している在室開始時刻TIME_inより後の状態では、空調対象空間ａａの室内機２０ａを空調目標温度Tmで通常運転もしくは予冷・予暖延長運転させ、空調対象空間ａｂの室内機２０ｂを運転停止させている。
【００８１】
（外気基準目標温度制御）
図６に基づいて外気基準目標温度制御CONTROL_outについて説明する。図６は、空調装置Ａの外気基準目標温度制御の処理の流れを示すフローチャートである。ここでは、予冷運転時の在室開始時設定温度Tsの設定方法について説明する。なお、制御の主体は、制御基板１６及び制御基板２３であるが、説明の便宜上、省略する場合がある。
【００８２】
コントローラ３０が負荷検知手段２もしくは温度センサ１ｇから外気温度情報を入手する（ステップST1o）。
【００８３】
そして、入手した外気温度情報を用いて目標温度判定を行う（ステップST2o）。ステップST2oでは、ステップST1oで入手した外気温度情報の外気温度Toutと上限温度Thの関係から在室開始時設定温度Tsを決定する。具体的には、ステップST2oでは、外気温度Toutと上限温度Thとを比較する。なお、上限温度Thは、少なくとも外部から予め設定されている所定の値の温度である。
【００８４】
外気温度Toutが上限温度Thよりも小さな場合は（ステップST2o；YES）、在室開始時設定温度Tsを外気温度Toutから温度幅deltaT2を引いた値とする（ステップST3o）。一方、外気温度Toutが上限温度Th以上である場合は（ステップST2o；NO）、在室開始時設定温度Tsを保証温度である在室開始時上限温度Tlimit2とする（ステップST4o）。
【００８５】
ここで、図７に基づいて空調装置Ａの運転状態について説明する。図７は、空調装置Ａの外気基準目標温度制御運転時の動作状態を模式的に示す模式図である。図７では、在室開始後の空調対象空間ａを空調対象空間ａｃとし、在室開始前に使用者は宅外（外気温度と同じ場所）にいるものとする。図７（ａ）では予冷開始前の空調装置Ａの動作状態を、図７（ｂ）では予冷中の空調装置Ａの動作状態を、図７（ｃ）では使用者が在室開始した後の空調装置Ａの動作状態を、それぞれ示している。
【００８６】
なお、空調対象空間ａｃには室内機２０ａ、負荷検知手段２ａ、コントローラ３０ａが配置され、室外には負荷検知手段２ｃが配置されている。使用者は、在室開始時刻TIME_in に空調対象空間ａｃに在室開始する。
【００８７】
外気温度Toutは、負荷検知手段２ｃもしくは室外機の吸込み空気温度となる。検知した外気温度Toutは、通信機器を通じてコントローラ３０ａと情報共有される。通信形態は無線・有線を問わず、さらに外部情報取得手段４０を用いてインターネットを介し、外部の情報（天気予報、気温変動等）をコントローラ３０ａに送信してもよく、本実施の形態に限定するものではない。
【００８８】
図７（ａ）に示す予冷開始前の状態では、空調対象空間ａｃの室内機２０ａを運転停止させている。
図７（ｂ）に示す予冷中の状態では、空調対象空間ａｃの室内機２０ａを在室時設定温度を（Tout-deltaT2）もしくはTlimit2として運転させている。
図７（ｃ）に示す空調対象空間ａｃに使用者が在室している在室開始時刻TIME_inより後の状態では、空調対象空間ａｃの室内機２０ａを空調目標温度Tmで通常運転もしくは予冷・予暖延長運転させている。
【００８９】
（外気変動時間制御）
図８に基づいて空調装置Ａの外気変動時間制御CONTROL_TIMEについて説明する。ここでは予冷運転時の予冷時間TIMEsの設定方法について説明する。図８は、空調装置Ａの外気変動時間制御の処理の流れを示すフローチャートである。なお、制御の主体は、制御基板１６及び制御基板２３であるが、説明の便宜上、省略する場合がある。
【００９０】
コントローラ３０が負荷検知手段２ｃもしくは温度センサ１ｅから外気温度変動予測情報を入手する（ST1t）。
【００９１】
そして、入手した外気温度変動予測情報のある一定区間における初期温度Tstartと最終温度Tendを用いて延長判定を行う（ステップST2t）。ステップST2tでは、ステップST1tで入手した外気温度変動情報の初期温度Tstartと最終温度Tendの関係から在室開始時設定温度Tsを決定する。具体的には、ステップST2tでは、初期温度Tstartと最終温度Tendとの差の絶対値と判定閾値deltaT3とを比較する。
【００９２】
最終温度Tendが初期温度Tstartよりも判定閾値deltaT3よりも大きく、在室開始時設定温度Tsが空調目標温度Tmとは異なる場合は（ステップST2t；YES）、予冷時間TIMEsを、温度一定時の必要予冷時間TIMEcをTIME1だけ延長し、延長した運転時間に対応して在室開始時設定温度をdeltaT5低減させる（ステップST3t）。予暖運転の場合は、ステップST3tでは予暖運転時間を短縮する。一方、それ以外の場合は（ステップST2t；NO）、短縮判定を行う（ステップST4t）。
【００９３】
ステップST4tでは、ステップST1tで入手した外気温度変動予測情報の初期温度Tstartと最終温度Tendの関係から在室開始時設定温度Tsを決定する。具体的には、ステップST4tでは、初期温度Tstartと最終温度Tendとの差と判定閾値deltaT4とを比較する。
【００９４】
初期温度Tstartが最終温度Tendよりも判定閾値deltaT4以上大きく、在室時設定温度が在室開始時上限温度Tlimit2とは異なる場合は（ステップST4t；YES）、予冷時間TIMEsを、温度一定時の必要予冷時間TIMEcをTIME2だけ短縮し、短縮した運転時間に対応して在室開始時設定温度をdeltaT6上昇させる（ステップST5t）。予暖運転の場合は、ステップST5tでは予暖運転時間を延長する。一方、それ以外の場合は（ステップST4t；NO）、予冷開始時刻をTIMEcとして予冷を開始する（ステップST6t）。
【００９５】
外気温度Toutは、負荷検知手段２ｃもしくは室外機の吸込み空気温度となる。検知した外気温度Toutは、通信機器を通じてコントローラ３０ａと情報共有される。通信形態は無線・有線を問わず、さらに外部情報取得手段４０を用いてインターネットを介し、外部の情報（天気予報、気温変動等）をコントローラ３０ａに送信してもよく、本実施の形態に限定するものではない。
【００９６】
また、本制御手法では、室内の在室時間幅情報の高精度な入手が重要となるため、空調対象空間ａに関する情報だけでなく、家庭全体の生活パターンから在室情報を設定してもよい。例えば、家全体の機器の状態を監視するＨＥＭＳ（ホームエネルギーマネージメントシステム）を別途導入し、そのシステムにて在室情報を処理させる。そして、その在室情報を空調装置Ａに伝送し、空調装置Ａが実行する予冷運転又は予暖運転に用いるようにしてもよい。
【００９７】
《空調装置Ａの予冷、予暖制御動作の具体的な作用》
次に、図９〜図２６に基づいて空調装置Ａの予冷、予暖制御動作の具体的な作用について説明する。以下で説明する従来の空調装置が実行する予冷、予暖制御動作とは、使用者の在室開始より前にある一定時間予冷、予暖運転を行い、予冷、予暖終了後に室内の目標温度に到達するようにする制御動作であるとする。
【００９８】
まず、図９〜図１７に基づいて予冷制御動作の具体的な作用を説明する。
図９〜図１１に基づいて、冷房期に予冷開始時刻帯での外気温度が在室開始後温度よりも低い場合（例えば夏の早朝）での予冷制御動作の具体的な作用について説明する。
図１２〜図１４に基づいて、冷房期に予冷開始時刻帯での外気温度が在室開始後温度とほぼ同等である場合（例えば夏の昼間）での予冷制御動作の具体的な作用について説明する。
図１５〜図１７に基づいて、冷房期に予冷開始時刻帯での外気温度が在室開始後温度よりも高い場合（例えば夏の夕方など）での予冷制御動作の具体的な作用について説明する。
【００９９】
（冷房期（例えば夏の早朝など））
図９は、予冷開始時が低温時における空調装置Ａの予冷制御動作を示す温度線図である。図１０は、予冷開始時が低温時における従来の空調装置の予冷制御動作を示す温度線図である。図１１は、空調装置Ａ及び従来の空調装置の予冷開始時が低温時における予冷制御動作時の消費電力の変化を示す消費電力図である。図９及び図１０では、横軸が時間を、縦軸が温度を、それぞれ表している。図１１では、横軸が時間を、縦軸が消費電力を、それぞれ表している。
【０１００】
図９〜図１１に示すように、冷房期（例えば夏の早朝など）では、室温基準目標温度制御CONTROL_in、外気基準目標温度制御CONTROL_outのいずれであったとしても、使用者の在室開始前の方が低外気温度である。そのため、熱源機１０の送風手段１２のファン風量が同等であれば、使用者の在室開始前の方が、凝縮温度の低下による冷凍サイクル効率の向上が可能であり、在室開始前の予冷時間を延長することで在室開始時よりも高効率に負荷処理することが可能となる。なお、図９及び図１１では、低容量運転を実施している場合を例に示している。
【０１０１】
また、図９に示すように、在室開始時設定温度Tsと在室開始後の空調目標温度Tmを別途設定し、在室開始時設定温度Tsよりも空調目標温度Tmを低温に設定することで、予冷時間中に処理する負荷量が低減する。そのため、予冷時間の減少もしくは低容量運転が可能であり（図９及び図１０参照）、一日積算の運転時間低減もしくは低容量運転による機器高効率化による省エネが可能となる（図１１参照）。
【０１０２】
さらに、在室開始時設定温度Tsは過負荷の場合を除いて、在室前の空間温度と近いため、温度差による身体への影響が少なく、快適性を向上させることが可能となる。すなわち、空調装置Ａによれば、例えば、寝室（２８℃設定）からリビング（２６℃設定）への移動時ではリビング在室開始時までにリビングの温度は２８℃として運転を行い、その後、２６℃へ冷房する運転を行うことで、快適性を保ったまま、身体への負担を軽減させることが可能となる。
【０１０３】
（冷房期（例えば夏の昼間など））
図１２は、予冷開始時に外気温度と在室開始後温度とほぼ同等である場合における空調装置Ａの予冷制御動作を示す温度線図である。図１３は、予冷開始時に外気温度と在室開始後温度とほぼ同等である場合における従来の空調装置の予冷制御動作を示す温度線図である。図１４は、空調装置Ａ及び従来の空調装置の予冷開始時に外気温度と在室開始後温度とほぼ同等である場合における予冷制御動作時の消費電力の変化を示す消費電力図である。図１２及び図１３では、横軸が時間を、縦軸が温度を、それぞれ表している。図１４では、横軸が時間を、縦軸が消費電力を、それぞれ表している。
【０１０４】
図１２〜図１４に示すように、冷房期（例えば夏期の昼間など）では、室温基準目標温度制御CONTROL_in、外気基準目標温度制御CONTROL_outのいずれであったとしても、在室開始前後で温度の変動が少ない。そのため、予冷時間は、一定温度時に必要な時間からの変更はない。よって、図１２〜図１４に示すように、冷房期（例えば夏期の昼間など）も、在室開始時設定温度Tsと在室開始後の空調目標温度Tmを別途に設定し、在室開始時設定温度Tsよりも空調目標温度Tmを低温に設定することで予冷時間中に処理する負荷量が低減するということがわかる。このことから、空調装置Ａでは、予冷時間は減少、もしくは低容量運転が可能であり、一日積算の運転時間の低減、もしくは低容量運転による機器高効率化による省エネが可能となる。なお、図１２及び図１４では、低容量運転を実施している場合を例に示している。
【０１０５】
さらに、在室開始時設定温度Tsは過負荷の場合を除いて、在室前の空間温度と近いため、温度差による身体への影響が少なく、快適性を向上させることが可能となる。すなわち、空調装置Ａによれば、例えば、外気（３２℃設定）からリビング（２６℃設定）への移動時ではリビング在室開始時までにリビングの温度は２９℃（deltaT2＝２と想定）として運転を行い、在室開始後に２６℃目標で冷房運転を行うことで、快適性を保ったまま、身体への負担を軽減させることが可能となる。
【０１０６】
（冷房期（例えば夏の夕方など））
図１５は、予冷開始時に外気温度が在室開始後温度よりも高い場合における空調装置Ａの予冷制御動作を示す温度線図である。図１６は、予冷開始時に外気温度が在室開始後温度よりも高い場合における従来の空調装置の予冷制御動作を示す温度線図である。図１７は、空調装置Ａ及び従来の空調装置の予冷開始時に外気温度が在室開始後温度よりも高い場合における予冷制御動作時の消費電力の変化を示す消費電力図である。図１５及び図１６では、横軸が時間を、縦軸が温度を、それぞれ表している。図１７では、横軸が時間を、縦軸が消費電力を、それぞれ表している。
【０１０７】
図１５〜図１７に示すように、冷房期（例えば夏期の夕方など）では、室温基準目標温度制御CONTROL_in、外気基準目標温度制御CONTROL_outのいずれであったとしても、在室開始前の方が高外気温度である。そのため、在室開始前後の方が熱源機１０の送風手段１２のファン風量が同等であれば、凝縮温度の低下による冷凍サイクル効率の向上が可能であり、在室開始前の予冷時間を短縮することで在室開始前よりも高効率に負荷処理が可能となる。
【０１０８】
また、在室開始時設定温度Tsと在室開始後の空調目標温度Tmを別途設定し、在室開始時設定温度Tsよりも空調目標温度Tmを低温に設定することで予冷時間中に処理する負荷量が低減する。そのため、空調装置Ａでは、予冷時間の減少、もしくは低容量運転が可能であり、一日積算の運転時間低減もしくは低容量運転による機器高効率化による省エネが可能となる。なお、図１５及び図１７では、低容量運転を実施している場合を例に示している。
【０１０９】
さらに、在室開始時設定温度Tsは過負荷の場合を除いて、在室前の空間温度と近いため、温度差による身体への影響が少なく、快適性を向上させることが可能となる。すなわち、空調装置Ａによれば、例えば、室外（３０℃設定）からリビング（２６℃設定）への移動時ではリビング在室開始時までにリビングの温度は２８℃（deltaT2＝２と想定）として運転を行い、その後、２６℃へ冷房する運転を行うことで、快適性を保ったまま、温度差による身体への負担を軽減させることが可能となる。
【０１１０】
まず、図１８〜図２６に基づいて予暖制御動作の具体的な作用を説明する。
図１８〜図２０に基づいて、暖房期に予暖開始時刻帯での外気温度が在室開始後温度よりも低い場合（例えば冬の早朝）での予暖制御動作の具体的な作用について説明する。
図２１〜図２３に基づいて、暖房期に予暖開始時刻帯での外気温度と在室開始後温度がほぼ同等である場合（例えば冬の昼間）での予暖制御動作の具体的な作用について説明する。
図２４〜図２６に基づいて、暖房期に予暖開始時刻帯での外気温度が在室開始後温度よりも高い場合（例えば冬の夕方）での予暖制御動作の具体的な作用について説明する。
【０１１１】
（暖房期（例えば冬の早朝など））
図１８は、予暖開始時が低温時における空調装置Ａの予暖制御動作を示す温度線図である。図１９は、予暖開始時が低温時における従来の空調装置の予暖制御動作を示す温度線図である。図２０は、空調装置Ａ及び従来の空調装置の予暖開始時が低温時における予暖制御動作時の消費電力の変化を示す消費電力図である。図１８及び図１９では、横軸が時間を、縦軸が温度を、それぞれ表している。図２０では、横軸が時間を、縦軸が消費電力を、それぞれ表している。
【０１１２】
図１８〜図２０に示すように、暖房期（例えば冬の早朝など）では、室温基準目標温度制御CONTROL_in、外気基準目標温度制御CONTROL_outのいずれであったとしても、在室開始前の方が低外気温度である。そのため、熱源機１０の送風手段１２のファン風量が同等であれば、使用者の在室開始前の方が、蒸発温度の低下による冷凍サイクル効率の向上が可能であり、在室開始前の予暖時間を短縮することで在室開始時よりも高効率に負荷処理することが可能となる。また、蒸発温度が０℃近傍では、デフロストが必要かどうかによって消費電力に差が発生するため、低外気運転時間を短縮し、蒸発温度が０℃以上となるように制御することで省エネ効果がさらに大きくなる。
【０１１３】
また、図１８に示すように、在室開始時設定温度Tsと在室開始後の空調目標温度Tmを別途設定し、在室開始時設定温度Tsよりも空調目標温度Tmを高温に設定することで、予暖時間中に処理する負荷量が低減する。そのため、予暖時間の減少もしくは低容量運転が可能であり（図１８及び図１９参照）、一日積算の運転時間低減もしくは低容量運転による機器高効率化による省エネが可能となる（図２０参照）。なお、図１８及び図２０では、低容量運転を実施している場合を例に示している。
【０１１４】
さらに、在室開始時設定温度Tsは在室前の空間温度と近い、もしくは最低保証温度以上（例えば17℃）であるため、温度差によるヒートショックを緩和し、快適性、安全性を向上させることが可能となる。すなわち、空調装置Ａによれば、例えば、寝室（室温１５℃）からリビング（２０℃設定）への移動時ではリビング在室開始時までにリビングの温度は最低保証温度（例えば１７℃）を目標として運転を行い、その後、２０℃へ暖房する運転を行うことで、快適性を保ったまま、身体への負担を軽減させることと、機器効率の向上が同時に達成可能となる。
【０１１５】
（暖房期（例えば冬の昼間など））
図２１は、予暖開始時に外気温度と在室開始後温度とほぼ同等である場合における空調装置Ａの予暖制御動作を示す温度線図である。図２２は、予暖開始時に外気温度と在室開始後温度とほぼ同等である場合における従来の空調装置の予暖制御動作を示す温度線図である。図２３は、空調装置Ａ及び従来の空調装置の予暖開始時に外気温度と在室開始後温度とほぼ同等である場合における予暖制御動作時の消費電力の変化を示す消費電力図である。図２１及び図２２では、横軸が時間を、縦軸が温度を、それぞれ表している。図２３では、横軸が時間を、縦軸が消費電力を、それぞれ表している。
【０１１６】
図２１〜図２３に示すように、暖房期（例えば冬期の昼間など）では、予暖運転時間を外気温によって補正は行わないが、在室開始時設定温度Tsと在室開始後の空調目標温度Tmを別途設定し、在室開始時設定温度Tsよりも空調目標温度Tmを高温に設定することで予暖時間中に処理する負荷量が低減する。そのため、空調装置Ａでは、予暖時間の減少、もしくは低容量運転が可能であり、一日積算の運転時間低減もしくは低容量運転による機器高効率化による省エネが可能となる。なお、図２１及び図２４では低容量運転を実施している場合を例に示している。
【０１１７】
さらに、在室開始時設定温度Tsは在室前の空間温度と近い、もしくは最低保証温度以上（例えば17℃）であるため、温度差によるヒートショックを緩和し、快適性、安全性を向上させることが可能となる。すなわち、空調装置Ａによれば、例えば、外気（室温１０℃）からリビング（２０℃設定）への移動時ではリビング在室開始時までにリビングの温度は最低保証温度（例えば１７℃）を目標として運転を行い、その後、２０℃へ暖房する運転を行うことで、快適性を保ったまま、身体への負担を軽減させることと、機器効率の向上が同時に達成可能となる。
【０１１８】
（暖房期（例えば冬の夕方など））
図２４は、予暖開始時に外気温度が在室開始後温度よりも高い場合における空調装置Ａの予暖制御動作を示す温度線図である。図２５は、予暖開始時に外気温度が在室開始後温度よりも高い場合における従来の空調装置の予暖制御動作を示す温度線図である。図２６は、空調装置Ａ及び従来の空調装置の予暖開始時に外気温度が在室開始後温度よりも高い場合における予暖制御動作時の消費電力の変化を示す消費電力図である。図２４及び図２５では、横軸が時間を、縦軸が温度を、それぞれ表している。図２６では、横軸が時間を、縦軸が消費電力を、それぞれ表している。
【０１１９】
図２４〜図２６に示すように、暖房期（例えば冬期の夕方など）では、室温基準目標温度制御CONTROL_in、外気基準目標温度制御CONTROL_outのいずれであったとしても、在室開始前の方が高外気温度である。そのため、在室開始前後の方が熱源機１０の送風手段１２のファン風量が同等であれば、蒸発温度の上昇による冷凍サイクル効率の向上が可能であり、在室開始前の予暖時間を延長することで在室開始前よりも高効率に負荷処理が可能となる。
【０１２０】
また、在室開始時設定温度Tsと在室開始後の空調目標温度Tmを別途設定し、在室開始時設定温度Tsよりも空調目標温度Tmを高温に設定することで予暖時間中に処理する負荷量が低減する。そのため、空調装置Ａでは、予暖時間の減少、もしくは低容量運転が可能であり、一日積算の運転時間低減もしくは低容量運転による機器高効率化による省エネが可能となる。なお、図２４及び図２６では、低容量運転を実施している場合を例に示している。
【０１２１】
さらに、在室開始時設定温度Tsは、在室前の空間温度と近い、もしくは最低保証温度以上（例えば１７℃）であるため、温度差によるヒートショックを緩和し、快適性、安全性を向上させることが可能となる。すなわち、空調装置Ａによれば、例えば、外気（室温１２℃）からリビング（２０℃設定）への移動時ではリビング在室開始時までにリビングの温度は最低保証温度（例えば１７℃）を目標として運転を行い、その後、２０℃へ暖房する運転を行うことで、快適性を保ったまま、身体への負担を軽減させることと、機器効率の向上が同時に達成可能となる。
【０１２２】
《空調装置Ａの奏する効果》
このようにして得られる空調装置Ａは、図９〜図２６に示したように、外気温度の変動や、使用者の活動状況に合わせて在室開始時設定温度Tsを設定し、予冷、予暖時間の調整ができ、快適性と身体への負担の軽減、予冷、予暖による省エネの同時達成が可能となる。
【０１２３】
また、空調装置Ａによれば、在室開始時設定温度Tsを調整することで、これまで、予冷、予暖運転を行わない方が省エネとなっていた状況（例えば、冬期の高負荷時に躯体断熱性能が低く、予暖中の放熱ロスが多い場合など）に対しても、省エネと快適性向上が可能になる。
【０１２４】
従来は室内負荷を在室開始まですべて取り切れなかった場合には在室開始時に高容量運転を行っていたが、空調装置Ａによれば在室開始後も低容量運転を継続できるために、もし、予冷又は予暖運転時に窓が開いているなどの不足の事態が発生しても、消費電力が無駄になる量を低減できる。
【０１２５】
これらの予冷、予暖制御を行うことによって空調装置Ａの処理負荷が平準化されるため、消費電力のピークカットが可能となる。そのため、電力供給側より使用量抑制指示（デマンド）が発生した場合でも快適性を保ちながら空調を運転することが可能となる。
【符号の説明】
【０１２６】
１ａ  吐出温度センサ、１ｂ  吸入温度センサ、１ｃ  温度センサ、１ｄ  温度センサ、１ｅ  温度センサ、１ｆ  温度センサ、１ｇ  温度センサ、１ｈ  温度センサ、２  負荷検知手段、２ａ  負荷検知手段、２ｂ  負荷検知手段、２ｃ  負荷検知手段、１０  熱源機、１１  熱交換器、１２  送風手段、１３  圧縮機、１４  絞り手段、１５  四方弁、１６  制御基板、２０  室内機、２０ａ  室内機、２０ｂ  室内機、２１  熱交換器、２２  送風手段、２３  制御基板、３０  コントローラ、３０ａ  コントローラ、３０ｂ  コントローラ、４０  外部情報取得手段、４１  受信部、５０  在室情報取得手段、５１  在室開始時温度制御部、５２  目標温度設定部、５３  圧縮機駆動部、５４  在室開始時温度変更部、５５  在室開始時温度設定部、５６  運転時間変更部、５７  在室時間幅取得部、１００  配管、１０１  通信線、１０００  冷凍サイクル、Ａ  空調装置。
【図１】
2014017316.tif 000003
【図２】
2014017316.tif 000004
【図３】
2014017316.tif 000005
【図４】
2014017316.tif 000006
【図５】
2014017316.tif 000007
【図６】
2014017316.tif 000008
【図７】
2014017316.tif 000009
【図８】
2014017316.tif 000010
【図９】
2014017316.tif 000011
【図１０】
2014017316.tif 000012
【図１１】
2014017316.tif 000013
【図１２】
2014017316.tif 000014
【図１３】
2014017316.tif 000015
【図１４】
2014017316.tif 000016
【図１５】
2014017316.tif 000017
【図１６】
2014017316.tif 000018
【図１７】
2014017316.tif 000019
【図１８】
2014017316.tif 000020
【図１９】
2014017316.tif 000021
【図２０】
2014017316.tif 000022
【図２１】
2014017316.tif 000023
【図２２】
2014017316.tif 000024
【図２３】
2014017316.tif 000025
【図２４】
2014017316.tif 000026
【図２５】
2014017316.tif 000027
【図２６】
2014017316.tif 000028
【図２７】
2014017316.tif 000029
【手続補正書】
【提出日】平成26年12月19日(2014.12.19)
【手続補正１】
【補正対象書類名】明細書
【補正対象項目名】０００８
【補正方法】変更
【補正の内容】
【０００８】
本発明に係る空調装置は、空調対象空間を使用者の在室前に目標温度とするように予冷運転又は予暖運転を実行する空調装置であって、使用者の在室前の状態を検知する在室前情報取得手段と、前記在室前情報取得手段での検知結果に基づいて前記予冷運転又は予暖運転を実施する制御装置と、を備え、前記制御装置は、前記在室前情報取得手段の検知結果に基づき、使用者の在室開始予定時刻での目標温度である在室開始時設定温度を変化させるものである。
【手続補正２】
【補正対象書類名】明細書
【補正対象項目名】０００９
【補正方法】変更
【補正の内容】
【０００９】
本発明に係る空調制御方法は、使用者の在室前の状態を検知し、その検知結果に基づいて、空調対象空間を使用者の在室前に目標温度とするように予冷運転又は予暖運転を実行する空調装置の空調制御方法であって、使用者の在室開始予定時刻での目標温度である在室開始時設定温度と使用者の在室開始後の目標温度とが異なる場合、前記在室開始時設定温度を、前記予冷運転では使用者の在室開始後の目標温度以上に設定し、前記予暖運転では使用者の在室開始後の目標温度以下に設定し、使用者の在室前の環境が屋外であると判断したとき、検知される在室前の外気温度と予め設定されている上限温度とを比較し、前記外気温度が前記上限温度よりも小さいときには前記在室開始時設定温度から所定の温度幅を引いた値を新たな在室開始時設定温度に設定し、前記外気温度が前記上限温度以上であるときには該上限温度を保証温度として新たな前記在室開始時設定温度に設定し、使用者の在室前の状態が屋内であると判断したとき、検知される在室前の室内温度と予め設定されている目標設定温度とを比較し、前記室内温度と前記目標設定温度との差の絶対値が所定の判定閾値よりも小さいときには前記在室開始時設定温度を前記目標設定温度に設定し、前記室内温度と前記目標設定温度との差の絶対値が前記判定閾値以上であるときには前記在室開始時設定温度を保証温度として設定するものである。
【手続補正３】
【補正対象書類名】特許請求の範囲
【補正対象項目名】全文
【補正方法】変更
【補正の内容】
【特許請求の範囲】
【請求項１】
空調対象空間を使用者の在室前に目標温度とするように予冷運転又は予暖運転を実行する空調装置であって、
使用者の在室前の状態を検知する在室前情報取得手段と、
前記在室前情報取得手段での検知結果に基づいて前記予冷運転又は予暖運転を実施する制御装置と、を備え、
前記制御装置は、
前記在室前情報取得手段の検知結果に基づき、使用者の在室開始予定時刻での目標温度である在室開始時設定温度を変化させる
空調装置。
【請求項２】
前記制御装置は、
前記在室前情報取得手段の検知結果に基づき、前記予冷運転又は予暖運転の開始時刻も変化させる
請求項１に記載の空調装置。
【請求項３】
使用者の在室前の状態とは、使用者の在室前の環境が屋内であるか屋外であるかである
請求項１又は２に記載の空調装置。
【請求項４】
前記制御装置は、
前記在室開始時設定温度と使用者の在室開始後の目標温度とが異なる場合、
前記在室開始時設定温度を、
前記予冷運転では使用者の在室開始後の目標温度以上に設定し、
前記予暖運転では使用者の在室開始後の目標温度以下に設定する目標温度設定部を備えている
請求項１〜３のいずれか一項に記載の空調装置。
【請求項５】
冷媒を圧縮して吐出する圧縮機を備え、
前記制御装置は、
使用者の在室開始後の目標温度に到達するまで、前記予冷運転又は前記予暖運転と同様の運転容量で前記圧縮機を駆動する圧縮機駆動部を備えている
請求項１〜４のいずれか一項に記載の空調装置。
【請求項６】
前記制御装置は、
使用者の在室前の環境が屋内である場合と屋外である場合とで前記在室開始時設定温度を異なるものとしている在室開始時温度変更部を備えている
請求項１〜５のいずれか一項に記載の空調装置。
【請求項７】
前記制御装置は、
前記在室前情報取得手段の検知結果から使用者の在室前の環境が屋外であると判断した場合、
前記在室前情報取得手段により検知される在室前の外気温度と予め設定されている上限温度とを比較し、
前記外気温度が前記上限温度よりも小さいときには前記在室開始時設定温度から所定の温度幅を引いた値を新たな在室開始時設定温度に設定し、
前記外気温度が前記上限温度以上であるときには該上限温度を保証温度として新たな前記在室開始時設 定温度に設定する在室開始時温度設定部を備えている
請求項１〜６のいずれか一項に記載の空調装置。
【請求項８】
前記制御装置は、
前記在室前情報取得手段の検知結果から使用者の在室前の状態が屋内であると判断した場合、
前記在室前情報取得手段より検知される在室前の室内温度と予め設定されている目標設定温度とを比較し、
前記室内温度と前記目標設定温度との差の絶対値が所定の判定閾値よりも小さいときには前記在室開始時設定温度を前記目標設定温度に設定し、
前記室内温度と前記目標設定温度との差の絶対値が前記判定閾値以上であるときには前記在室開始時設定温度を保証温度として設定する在室開始時温度設定部を備えている
請求項１〜６のいずれか一項に記載の空調装置。
【請求項９】
前記制御装置は、
前記在室前情報取得手段から外気温度変動予測情報を入手し、
前記外気温度変動予測情報の所定区間における初期温度が最終温度よりも大きく、前記初期温度と前記最終温度との差の絶対値が所定の判定閾値以上であるときは、
前記予冷運転では、予冷運転時間を短縮し、
前記予暖運転では、予暖運転時間を延長し、
前記外気温度変動予測情報の所定区間における初期温度が最終温度よりも小さく、前記初期温度と前記最終温度との差の絶対値が所定の判定閾値以上であるときは、
前記予冷運転では、予冷運転時間を延長し、
前記予暖運転では、予暖運転時間を短縮する運転時間変更部を備えている
請求項６〜８のいずれか一項に記載の空調装置。
【請求項１０】
前記制御装置は、
空調対象空間に存在する一又は複数の機器の使用情報を収集し、収集した情報に基づいて使用者の在室時間幅を取得する在室時間幅取得部を備えている
請求項１〜９のいずれか一項に記載の空調装置。
【請求項１１】
前記機器としては、
空調対象空間に存在する空調装置、照明、人感センサ、室内ドアのうちの少なくとも一つを適用している
請求項１０に記載の空調装置。
【請求項１２】
前記制御装置の前記圧縮機駆動部は、
前記予冷運転又は予暖運転では、運転容量を最大運転容量の５０％を目途にした固定容量で前記圧縮機を運転するように設定されている
請求項５、請求項５に従属する請求項６〜１１のいずれか一項に記載の空調装置。
【請求項１３】
使用者の在室前の状態を検知し、その検知結果に基づいて、空調対象空間を使用者の在室前に目標温度とするように予冷運転又は予暖運転を実行する空調装置の空調制御方法であって、
使用者の在室開始予定時刻での目標温度である在室開始時設定温度と使用者の在室開始後の目標温度とが異なる場合、
前記在室開始時設定温度を、
前記予冷運転では使用者の在室開始後の目標温度以上に設定し、
前記予暖運転では使用者の在室開始後の目標温度以下に設定し、
使用者の在室前の環境が屋外であると判断したとき、検知される在室前の外気温度と予め設定されている上限温度とを比較し、前記外気温度が前記上限温度よりも小さいときには前記在室開始時設定温度から所定の温度幅を引いた値を新たな在室開始時設定温度に設定し、前記外気温度が前記上限温度以上であるときには該上限温度を保証温度として新たな前記在室開始時設定温度に設定し、
使用者の在室前の状態が屋内であると判断したとき、検知される在室前の室内温度と予め設定されている目標設定温度とを比較し、前記室内温度と前記目標設定温度との差の絶対値が所定の判定閾値よりも小さいときには前記在室開始時設定温度を前記目標設定温度に設定し、前記室内温度と前記目標設定温度との差の絶対値が前記判定閾値以上であるときには前記在室開始時設定温度を保証温度として設定する
空調制御方法。
【手続補正書】
【提出日】平成27年12月11日(2015.12.11)
【手続補正１】
【補正対象書類名】明細書
【補正対象項目名】０００８
【補正方法】変更
【補正の内容】
【０００８】
本発明に係る空調装置は、空調対象空間を使用者の在室前に目標温度とするように予冷運転又は予暖運転を実行する空調装置であって、使用者の在室前の環境が屋内であるか屋外であるかを検知する在室前情報取得手段と、前記在室前情報取得手段での検知結果に基づいて前記予冷運転又は予暖運転を実施する制御装置と、を備え、前記制御装置は、前記在室前情報取得手段の検知結果に基づき、使用者の在室開始予定時刻での目標温度である在室開始時設定温度を変化させるものであり、予冷運転では前記在室開始時設定温度を使用者の在室開始後の目標温度より大きく設定し、予暖運転では前記在室開始時設定温度を使用者の在室開始後の目標温度より小さく設定するものである。
【手続補正２】
【補正対象書類名】明細書
【補正対象項目名】０００９
【補正方法】変更
【補正の内容】
【０００９】
本発明に係る空調制御方法は、使用者の在室前の環境が屋内であるか屋外であるかを検知し、その検知結果に基づいて、空調対象空間を使用者の在室前に目標温度とするように予冷運転又は予暖運転を実行する空調装置の空調制御方法であって、使用者の在室開始予定時刻での目標温度である在室開始時設定温度と使用者の在室開始後の目標温度とが異なる場合、前記在室開始時設定温度を、前記予冷運転では使用者の在室開始後の目標温度以上に設定し、前記予暖運転では使用者の在室開始後の目標温度以下に設定し、使用者の在室前の環境が屋外であると判断したとき、検知される在室前の外気温度と予め設定されている上限温度とを比較し、前記外気温度が前記上限温度よりも小さいときには前記在室開始時設定温度から所定の温度幅を引いた値を新たな在室開始時設定温度に設定し、前記外気温度が前記上限温度以上であるときには該上限温度を保証温度として新たな前記在室開始時設定温度に設定し、使用者の在室前の環境が屋内であると判断したとき、検知される在室前の室内温度と予め設定されている目標設定温度とを比較し、前記室内温度と前記目標設定温度との差の絶対値が所定の判定閾値よりも小さいときには前記在室開始時設定温度を前記目標設定温度に設定し、前記室内温度と前記目標設定温度との差の絶対値が前記判定閾値以上であるときには前記在室開始時設定温度を保証温度として設定するものである。
【手続補正３】
【補正対象書類名】特許請求の範囲
【補正対象項目名】全文
【補正方法】変更
【補正の内容】
【特許請求の範囲】
【請求項１】
空調対象空間を使用者の在室前に目標温度とするように予冷運転又は予暖運転を実行する空調装置であって、
使用者の在室前の環境が屋内であるか屋外であるかを検知する在室前情報取得手段と、
前記在室前情報取得手段での検知結果に基づいて前記予冷運転又は予暖運転を実施する制御装置と、を備え、
前記制御装置は、
前記在室前情報取得手段の検知結果に基づき、使用者の在室開始予定時刻での目標温度である在室開始時設定温度を変化させるものであり、
予冷運転では前記在室開始時設定温度を使用者の在室開始後の目標温度より大きく設定し、
予暖運転では前記在室開始時設定温度を使用者の在室開始後の目標温度より小さく設定する
空調装置。
【請求項２】
前記制御装置は、
前記在室前情報取得手段の検知結果に基づき、前記予冷運転又は予暖運転の開始時刻も変化させる
請求項１に記載の空調装置。
【請求項３】
前記制御装置は、
前記在室開始時設定温度と使用者の在室開始後の目標温度とが異なる場合、
前記在室開始時設定温度を、
前記予冷運転では使用者の在室開始後の目標温度以上に設定し、
前記予暖運転では使用者の在室開始後の目標温度以下に設定する目標温度設定部を備えている
請求項１又は２に記載の空調装置。
【請求項４】
冷媒を圧縮して吐出する圧縮機を備え、
前記制御装置は、
使用者の在室開始後の目標温度に到達するまで、前記予冷運転又は前記予暖運転と同様の運転容量で前記圧縮機を駆動する圧縮機駆動部を備えている
請求項１〜３のいずれか一項に記載の空調装置。
【請求項５】
前記制御装置は、
使用者の在室前の環境が屋内である場合と屋外である場合とで前記在室開始時設定温度を異なるものとしている在室開始時温度変更部を備えている
請求項１〜４のいずれか一項に記載の空調装置。
【請求項６】
前記制御装置は、
前記在室前情報取得手段の検知結果から使用者の在室前の環境が屋外であると判断した場合、
前記在室前情報取得手段の１つである温度センサーにより検知される在室前の外気温度と予め設定されている上限温度とを比較し、
前記外気温度が前記上限温度よりも小さいときには前記在室開始時設定温度から所定の温度幅を引いた値を新たな在室開始時設定温度に設定し、
前記外気温度が前記上限温度以上であるときには該上限温度を保証温度として新たな前記在室開始時設定温度に設定する在室開始時温度設定部を備えている
請求項１〜５のいずれか一項に記載の空調装置。
【請求項７】
前記制御装置は、
前記在室前情報取得手段の検知結果から使用者の在室前の環境が屋内であると判断した場合、
前記在室前情報取得手段の１つである温度センサーより検知される在室前の室内温度と予め設定されている使用者が在室開始する前に居住していた空調対象空間の温度である目標設定温度とを比較し、
前記室内温度と前記目標設定温度との差の絶対値が所定の判定閾値よりも小さいときには前記在室開始時設定温度を前記目標設定温度に設定し、
前記室内温度と前記目標設定温度との差の絶対値が前記判定閾値以上であるときには前記在室開始時設定温度の値を保証温度の値として設定する在室開始時温度設定部を備えている
請求項１〜５のいずれか一項に記載の空調装置。
【請求項８】
前記制御装置は、
前記在室前情報取得手段の１つである外部情報取得手段から外気温度変動予測情報を入手し、
前記外気温度変動予測情報の所定区間における初期温度が最終温度よりも大きく、前記初期温度と前記最終温度との差の絶対値が所定の判定閾値以上であるときは、
前記予冷運転では、予冷運転時間を短縮し、
前記予暖運転では、予暖運転時間を延長し、
前記外気温度変動予測情報の所定区間における初期温度が最終温度よりも小さく、前記初期温度と前記最終温度との差の絶対値が所定の判定閾値以上であるときは、
前記予冷運転では、予冷運転時間を延長し、
前記予暖運転では、予暖運転時間を短縮する運転時間変更部を備えている
請求項５〜７のいずれか一項に記載の空調装置。
【請求項９】
前記制御装置は、
空調対象空間に存在する一又は複数の機器の使用情報を収集し、収集した情報に基づいて使用者の在室時間幅を取得する在室時間幅取得部を備えている
請求項１〜８のいずれか一項に記載の空調装置。
【請求項１０】
前記機器としては、
空調対象空間に存在する空調装置、照明、人感センサ、室内ドアのうちの少なくとも一つを適用している
請求項９に記載の空調装置。
【請求項１１】
前記制御装置の前記圧縮機駆動部は、
前記予冷運転又は予暖運転では、運転容量を最大運転容量の５０％を目途にした固定容量で前記圧縮機を運転するように設定されている
請求項４、請求項４に従属する請求項５〜１０のいずれか一項に記載の空調装置。
【請求項１２】
使用者の在室前の環境が屋内であるか屋外であるかを検知し、その検知結果に基づいて、空調対象空間を使用者の在室前に目標温度とするように予冷運転又は予暖運転を実行する空調装置の空調制御方法であって、
使用者の在室開始予定時刻での目標温度である在室開始時設定温度と使用者の在室開始後の目標温度とが異なる場合、
前記在室開始時設定温度を、
前記予冷運転では使用者の在室開始後の目標温度以上に設定し、
前記予暖運転では使用者の在室開始後の目標温度以下に設定し、
使用者の在室前の環境が屋外であると判断したとき、検知される在室前の外気温度と予め設定されている上限温度とを比較し、前記外気温度が前記上限温度よりも小さいときには前記在室開始時設定温度から所定の温度幅を引いた値を新たな在室開始時設定温度に設定し、前記外気温度が前記上限温度以上であるときには該上限温度を保証温度として新たな前記在室開始時設定温度に設定し、
使用者の在室前の環境が屋内であると判断したとき、検知される在室前の室内温度と予め設定されている目標設定温度とを比較し、前記室内温度と前記目標設定温度との差の絶対値が所定の判定閾値よりも小さいときには前記在室開始時設定温度を前記目標設定温度に設定し、前記室内温度と前記目標設定温度との差の絶対値が前記判定閾値以上であるときには前記在室開始時設定温度を保証温度として設定する
空調制御方法。
【国際調査報告】
2014017316.tif 000030
2014017316.tif 000031